(57)【要約】【課題】  複数の電気機器に対してそれぞれ専用の接続ケーブルを必要とせず、また接続ケーブル以外の通信回線を必要としない、直流電源システムを提供する。【解決手段】  本発明による直流電源システムは、電気機器に、その動作に必要な電力情報を記憶し当該情報の通信を制御する電力情報制御回路を備え、電源装置には、電力生成回路と、前記電力情報の読み取り回路とを備え、前記電力生成回路は、前記電力情報に適合する直流電力を出力可能なように制御することを特徴とする。【選択図】  図１
2015053819.tif 000002
【特許請求の範囲】
【請求項１】
直流電力で動作する電気機器と、
電源装置と、
前記電気機器及び前記電源装置を接続する接続ケーブルと、
を備える直流電源システムにおいて、
前記電気機器は、当該電気機器の動作に必要な電力情報を記憶し当該情報の通信を制御する電力情報制御回路を備え、
前記電源装置は、供給する直流電力の電圧及び電流を制御する電力生成回路と、前記電力情報制御回路と通信可能で、前記電力情報を読み取る読み取り回路とを備え、
前記電力情報制御回路と前記読み取り回路とは、前記接続ケーブルによって通信接続できるようになっており、
前記電力生成回路は、前記読み取り回路によって、前記電力情報制御回路に記憶された前記電力情報を読み取らせて、当該情報に適合する直流電力を出力可能なように制御し、前記電源装置から前記接続ケーブルを介して前記電気機器に電力を供給することを特徴とする直流電源システム。
【請求項２】
請求項１に記載の直流電源システムにおいて、
前記直流電源システムは、複数の電力生成回路と出力ポートとを備えており、
複数の前記電気機器が接続される状態において、前記複数の電気機器が必要とする、それぞれの電圧及び電流の情報から、前記複数の電力生成回路の最高効率点を基準にして、前記電力生成路の組み合わせを決定する演算処理回路を有する直流電源回路。
【請求項３】
請求項１に記載の直流電源システムにおいて、
前記電気機器が、必要とする電力の異なる複数の動作モードで動作可能であり、
前記電力情報制御回路は、前記複数の動作モードにおいて必要なモード別電力情報を内部メモリに設定可能に構成されており、
前記電気機器の動作モードが変化したとき、当該動作モードで必要なモード別電力情報を前記電源装置と通信し、前記読み取り回路に読み取らせるように制御する機能を有している直流電源システム。
【請求項４】
請求項１に記載の直流電源システムにおいて、
前記電源装置は、さらに故障診断回路を備えており、
当該故障診断回路は、前記接続ケーブルを介して、接続されている前記電気機器の状態を診断する機能を有している直流電源システム。
【請求項５】
請求項１に記載の直流電源システムにおいて、
前記電気機器の前記電力情報には、前記電気機器固有の個別情報が付加されている直流電源システム。
【発明の詳細な説明】
【技術分野】
【０００１】
本発明は、直流回路で動作する電子機器など、直流電力を必要とする複数の電気機器に効率良く電力を供給可能な直流電源システムに関する。
【背景技術】
【０００２】
現在各家庭や、工場などの事業所で利用される電力は、昇圧・降圧が容易な交流で供給されている。しかしながら、身の回りには直流回路によって動作する電気機器の方が多くなり、それら直流回路で動作する電気機器を使用する場合、電気機器毎に専用のＡＣアダプタにより、家庭用交流電力を直流に変換して電力を供給している。さらに、直流で作動する電子機器が二次電池を備えている場合も、二次電池の充電には、電子機器毎に専用のＡＣアダプタを必要としている。例えば、利用者が旅行等に出かける際には、各電子機器に応じた専用のＡＣアダプタを複数携帯しなければならず、重量が増える上に、嵩高くなってしまう等の問題がある。
【０００３】
この問題を解決するために、例えば特開２００２−３７４６７５号公報に開示された電源アダプタは、複数の電子機器にそれぞれ一つずつ必要であった電源アダプタを一つにまとめるためになされた発明である。すなわち、電源アダプタの電源ユニット本体と出力コードを分離して、出力コードを交換できるように構成され、各出力コードは、使用する電子機器毎のプラグに適合した形状を数種類用意されており、使用する電子機器に適合した電源電圧を出力するための電圧設定回路もしくは電圧設定情報を所有させている。そのことで、使用する電子機器との接続時にその都度適合した出力コードを電源ユニット本体と接続すれば、自動的に電子機器に適合した電源電圧が出力されるので、一台の電源ユニットで様々な電子機器に対応することができる、としている。
【０００４】
このほか、特開２０１０−２５８５４９号公報には、電源装置とサーバ、ＰＣなどが複数接続されているフロアやサーバルームにおいて、電源装置トポロジの自動制御、管理、監視を行う技術に関しており、当該発明は、電力ケーブルを介して、ＰＤＵ（以降、単に分配器という）、スイッチングハブ、サーバ等の電子機器がツリー状（木構造）に接続する電源接続構成において、それぞれ電子機器が接続する電力線を介した電力線通信を利用し、共通のプロトコルで通信することにより電源の構成トポロジを作成し、電源を自動的に管理する電源管理プログラム、電源管理システム、及び電源管理方法が提案されている。
【特許文献１】特開２００２−３７４６７５号公報
【特許文献２】特開２０１０−２５８５４９号公報
【発明の開示】
【発明が解決しようとする課題】
【０００５】
しかし、前述した特開２００２−３７４６７５号公報に開示された電源アダプタでは、電源アダプタを一つにまとめる手段として、まず電源アダプタの電源ユニットと電源ユニットからの出力電力を外部に供給するための出力コードを分離し、出力コードを交換可能な構造にする。出力コードは、使用する各電子機器用に一本ずつ専用品を用意する必要がある。さらに、この電源アダプタは１台の電子機器の駆動にしか対応していないため、複数の電子機器を同時に使いたい場合には、やはり複数の電源アダプタを持ち歩かなければならない。
【０００６】
また、前述した特開２０１０−２５８５４９号公報に開示された電源管理システムは、電力線通信網で接続する複数の機器と、該機器の少なくとも一つ以上とネットワークで接続する電源管理装置とからなるシステムであって、電力線によって接続する複数の機器（機器Ａ，Ｂ・・・）が電力線通信網を形成し、その電力線通信網内の少なくとも一つの機器（本例では、機器Ａ）とＬＡＮを介して一台の電源管理装置が接続する構成となっている。
【０００７】
各機器は、電力線の電力線通信により、ある周期でパケットを他の機器と送受信し、該パケットのデータをメモリに格納するなどの制御を行う制御部と、他機器とのパケットの送受信を行う送受信部とから構成されている。
【０００８】
また、電源管理装置は、ＬＡＮを介して接続する機器に対し、電力線通信網内の情報を取得するためのコマンドを発行し、機器へのコマンドの送受信を制御する制御部、発行コマンドを送受信する送受信部、取得した機器の接続情報を格納しておくメモリを備えている。
【０００９】
このように、当該の電源管理システムでは、電力線通信を利用しているものの、機器へのコマンドの送受信にはＬＡＮを必要としている。さらに、サーバやスイッチングハブなどの多様な動作モードに対しても、当該電源管理システムが供給できる電力は常に固定であるため、必ずしも省エネルギーにはなってはいない。
【００１０】
このように、複数の電気機器に電力を供給する電源システムでは、電気機器に応じた専用の接続ケーブルを必要とし、また、電力線以外にＬＡＮ回線を必要としていた。
【００１１】
そこで本発明の目的は、複数の電気機器に対してそれぞれ専用の接続ケーブルを必要とせず、また接続ケーブル以外の通信回線を必要としない、直流電源システムを提供することである。
【課題を解決するための手段】
【００１２】
本発明による直流電源システムは、電気機器に、その動作に必要な電力情報を記憶し当該情報の通信を制御する電力情報制御回路を備え、
電源装置には、電力生成回路と、前記電力情報の読み取り回路とを備え、
前記電力生成回路は、前記電力情報に適合する直流電力を出力可能なように制御することを特徴とする。
【００１３】
すなわち、本発明による直流電源システムは、
直流電力で動作する電気機器と、
電源装置と、
前記電気機器及び前記電源装置を接続する接続ケーブルと、
を備える直流電源システムにおいて、
前記電気機器は、当該電気機器の動作に必要な電力情報を記憶し当該情報の通信を制御する電力情報制御回路を備え、
前記電源装置は、供給する直流電力の電圧及び電流を制御する電力生成回路と、前記電力情報制御回路と通信可能で、前記電力情報を読み取る読み取り回路とを備え、
前記電力情報制御回路と前記読み取り回路とは、前記接続ケーブルによって通信接続できるようになっており、
前記電力生成回路は、前記読み取り回路によって、前記電力情報制御回路に記憶された前記電力情報を読み取らせて、当該情報に適合する直流電力を出力可能なように制御し、前記電源装置から前記接続ケーブルを介して前記電気機器に電力を供給することを特徴とする。
【００１４】
このような構成により、本発明の直流電源システムでは、電源装置に接続されうる電気機器がそれぞれ必要とする電力が異なっていても、電力情報を記憶した電力情報制御回路を電気機器が備えており、その電力情報に読み取りそれに適合する直流電力を出力可能なように制御するので、電源装置に異なった電気機器を接続しても、その電気機器が必要とする電力を供給することができる。
【００１５】
さらに、前述の電源装置に、複数の電気機器が接続された場合には、それぞれの電気機器が必要とする電力情報を読み出し、各々の電力情報に基づいて効率良く電力を供給できるように電源装置を制御するように構成されているとよい。
【００１６】
すなわち、直流電源システムは、複数の電力生成回路と出力ポートとを備えており、
複数の電気機器が接続される状態において、前記複数の電気機器が必要とする、それぞれの電圧及び電流の情報から、前記複数の電力生成回路の最高効率点を基準にして、前記電力生成路の組み合わせを決定する演算処理回路を有しているとよい。
【００１７】
このような構成によれば、直流電源システムに接続された全ての電気機器に、必要な電力を効率良く供給することも可能である。
例えば、前述の電源装置に複数の電気機器が接続され、それら電気機器の動作可能な電圧範囲が重なっている場合は、１台の電源装置によって複数の電気機器の動作が可能となる共通の電圧を供給できるので、複数の電気機器毎に複数の電源装置を作動させる場合に比べて、電力効率を改善できる。
【００１８】
さらに、本電源システムの供給する電力は常に一定であるとは限られず、電気機器の多様な動作モードに応じた適切な電力を供給できるように、構成されているとよい。
【００１９】
すなわち、前記電気機器が、必要とする電力の異なる複数の動作モードで動作可能であり、
前記電力情報制御回路は、前記複数の動作モードにおいて必要なモード別電力情報を内部メモリに設定可能に構成されており、
前記電気機器の動作モードが変化したとき、当該動作モードで必要なモード別電力情報を前記電源装置と通信し、前記読み取り回路に読み取らせるように制御する機能を有しているとよい。
【００２０】
必要とする電力の異なる複数の動作モードとしては、例えば、電源オフ，サスペンド，スタンバイ，省エネルギー稼働又はブート稼働などが例示できる。なお、これらのモードは、電気機器によっても呼び名が異なる場合がある。
【００２１】
つまり、電気機器が電源オフ，サスペンドやスタンバイの状態では、待機電力を低く抑えるために低電圧での動作が望ましく、電源装置はそれに応じた電力を供給する。一方、電気機器が始動時やブート動作時には、逆に大きな電力を必要とするので、電源装置はそれに応じた電力を供給する。したがって、電源装置も、電気機器のそのような多様な動作モードに応じた電力を臨機応変に供給できるように構成されているとよい。
【００２２】
つまり、直流電源システムにおいて、電源装置と各電気機器の電力情報制御回路とは、各電気機器の動作モードが変化したときに、その動作モードで必要なモード別電力情報を通信できるように制御されており、電源装置はその電力情報に基づいて、その動作モードで必要としている電圧値と電流値を有する電力を、その電気機器に供給できるように構成されているとよい。
【００２３】
加えて、前述の直流電源システムにおいて、電源装置はさらに故障診断回路を備えているとよい。
すなわち、故障診断回路は、前記接続ケーブルを介して、接続されている前記電気機器の状態を診断する機能を有しているとよい。
【００２４】
故障診断回路は、接続ケーブルを介して接続される電気機器の電源回路の動作前診断による情報を、電気的に接続する前に入手して故障診断を行ったり、また接続後に電気機器における通電状態を、リアルタイムに診断する機能を有しているとよい。診断の結果、電気機器に何らかの異常があると判断された場合には、速やかに電力供給を停止し、被害の拡大を防ぐことができる。
【発明の効果】
【００２５】
前述のような構成により、本発明の直流電源システムでは、電気機器が必要とする電力情報を記憶した電力情報制御回路を当該電気機器が備えており、その電力情報に適合する直流電力を出力可能なように制御することができる。
【００２６】
それに加えてさらに、電源装置に、接続ケーブルを介して接続されている前記電気機器における状態を診断する機能を有している故障診断回路を備えていると、電気機器における状態を診断することも可能となる。
【００２７】
また、本発明の直流電源システムでは、複数の電気機器を電源装置に接続するに際して、接続ケーブルを共用化することもできる。
さらに、接続ケーブルにて電力情報の通信が可能な構成を備えていれば、接続ケーブル以外の通信回線を必要としない。
【図面の簡単な説明】
【００２８】
【図１】本発明による直流電源システムの全体構成を示す図である。
【図２】本発明による電気機器と接続ケーブルと電源装置間で行われる通信手段を示す図である。
【図３】本発明による電気機器に通信手段を持たない場合の構成を示す図である。
【図４】本発明による複数の電気機器に対して効率点制御を実施する場合の構成を示す図である。
【図５Ａ】直流電源システムの動作の一例を説明する第１フローチャートである。
【図５Ｂ】第１フローチャートに続く第２フローチャートである。
【図５Ｃ】第２フローチャートに続く第３フローチャートである。
【図５Ｄ】第３フローチャートに続く第４フローチャートである。
【発明を実施するための形態】
【００２９】
以下に、図面を用いながら、本発明の実施の形態について説明する。
【００３０】
図１は、本発明による直流電源装置の全体構成を示す図である。直流電源装置は、電源装置本体３０と、接続ケーブル２０と、電気機器１０とを含んで構成される。電源装置本体３０は、外部から供給される電力を電気機器１０が必要とする直流電力に変換し、接続ケーブル２０を介して電気機器１０に電力を供給するものである。
【００３１】
［電力制御の流れ］
本発明による直流電源装置の特徴の一つは、電源装置に接続される電気機器が必要とする電力情報を、電気機器側から電源装置本体側へ通信・伝達し、電源装置本体は、その電力情報に基づいて電気機器が必要とする電力を生成し、電気機器側に正しくかつ効率良く供給できることにある。
【００３２】
電気機器１０が動作するために必要となる電力情報（動作電圧範囲や最大動作電流など）は、電気機器に内蔵されている電力情報制御回路１２に記憶されており、接続ケーブル２０の先端のプラグが、電気機器の接続端子に電気的に接続されるか接近すると、電源装置３０からの電力情報の読み出し要求により、電力情報制御回路１２は、その内部に記憶された電力情報を、接続ケーブル２０を通じて電源装置３０へと伝達するように制御する。
【００３３】
つぎに、伝達された電力情報は、電源装置３０内に設けられた読み取り回路３５にて読み取られた後、コントローラ３６に伝達される。
【００３４】
そして、コントローラ３６は、電気機器の電力情報を、ＤＣ−ＤＣコンバ−タ等の電力生成回路に適用できるような制御データに変換し、当該制御データによって電力生成回路３２を制御し、電気機器１０に供給すべき直流電力を供給できるように構成されている。
【００３５】
このように、本発明による直流電源装置３０の特徴は、電気機器１０に供給すべき電力情報を、電気機器１０から接続ケーブル２０を介して電源装置３０に伝達し、その電力情報によって供給すべき直流電力を制御している点にある。つまり、電源装置から電気機器に直流電力を供給するための電力ケーブルと、電気機器が必要とする電源情報を読み出して、電源装置側に伝える信号線は別々ではなく、同一の電源ケーブルを兼用している。
【００３６】
例えば、電力伝送は直流であるが、電気機器１０の電力情報の読み出しは直流ではなく高周波（例えば、１３．５６ＭＨｚのＲＦ）で行い、周波数帯域を異ならせることによって、電力伝送と信号伝送を分離することができる。もちろん、電力線とは別に、電気機器１０の電力情報を送信する信号線を設けてもよい。その場合は、電源回路１１の発生する雑音の影響を信号線を伝わる信号が受けないので好ましいが、ケーブル芯線が多くなるのが欠点でもある。
【００３７】
また、電力情報の読み出しを高周波で行う場合のメリットとしては、非接触で情報を読み出すことも可能となることである。つまり、接続ケーブル２０を電気機器に完全に接続しなくても、接続ケーブル２０の電気機器１０側のプラグを電気機器１０の受け側コネクタに近付けただけで、高周波による結合を利用した近接通信（Near-Field Communication：ＮＦＣ）によって情報を読み出すことも可能となる。これは、ＲＦ−ＩＤなどでも用いられている手法と同じである。したがって、接続ケーブル２０を電気機器１０に電気的に接続する前に、電気機器１０の電源情報を読み出すことも可能となり、電気機器への電力供給可否の判断や、電気機器の故障診断をケーブルを接続する直前に行えるようになる。
【００３８】
例えば、電源装置３０の電力供給能力を超える電気機器１０をまさに今、接続しようとしている場合、その接続しようとしている電気機器の電力コネクタに、接続ケーブル２０のプラグを近付けただけでそのことが分かるので、ケーブルを接続する前に例えば電源装置３０が警報音を発したり、接続ケーブル２０のプラグが例えば赤色の点滅光を発するようにして、警告を発するようにすることも可能となる。
【００３９】
また、電気機器が供給すべき電力情報を記憶した電力情報制御回路１２を、内蔵しない場合は、電力情報を記憶した電力情報制御回路１２を電気機器本体に後から付加することも可能である。このため、電力情報制御回路１２に記憶した電力情報は、書き込み可能なＲＯＭ（ＥＰ−ＲＯＭなど）やフラッシュメモリなどに格納すると共に、接続ケーブル２０のプラグと電気機器１０を駆動するための電源回路１１とを、電気的に接続可能な例えば図３に示すような変換プラグ５０の形態とすることで、電気機器の電力情報を有する電力情報制御回路を後から付加することができる。
【００４０】
このように構成された直流電源装置３０は、家庭用電力線などの商用電源や二次電池など、外部電力源４０から供給された電力を、電気機器１０の電力情報制御回路１２に記憶された電力情報に基づいて変換し、電気機器１０に適合した電圧と電流を有する電力を供給する。
【００４１】
なお、図１に示した直流電源装置３０では、外部電力源４０として、商用電源による交流電源と二次電池を用いた直流電源を用いた場合を示している。商用電源は、例えば単相や二相のＡＣ１００Ｖでもよいし、単相や三相のＡＣ２００Ｖでもよい。二次電池は、太陽光発電装置など、再生可能エネルギーを使って発電された電力によって充電されてもよい。
【００４２】
さらに、電力情報の詳細について説明する。
電気機器に設けられた電力情報制御回路１２には、当該電気機器にかかる電力情報として、電力情報の異なる機種毎に固有なＩＤや、動作可能電圧範囲、定格電流、電気機器の待機電流、突入電流などの最大電流値、タイムスタンプのほか、電気機器のステータスやバッテリーを搭載している電気機器であれば、そのバッテリー情報などをシリアルデータ（２進数）で記憶されていることが好ましい。
【００４３】
このような電力情報制御回路は、電気機器の製造者によって予め装置に内蔵されていることが望ましい。なお、電力情報制御回路を内蔵しない既存の電気機器については、図３に示すような電力情報制御回路を内蔵した変換プラグやジョイントプラグなどの形態にて、接続ケーブルと電気機器の電源コネクタを電気的に接続した形態で、電気機器本体に使用者が後付けするとよい。
【００４４】
これに限られず、電気機器に固有な電力情報を記録したＲＦ−ＩＤチップを内蔵した電力情報制御回路を電気機器の電源コネクタ近くに貼り付けて、接続ケーブルとの高周波結合によって非接触で電力情報を読み取り、電源装置側に伝えるようになっていてもよい。
【００４５】
その場合、電力情報制御回路に記憶させる電力情報などの書き込みは、市販のＲＦ−ＩＤリーダ／ライタを使用するとよい。ここで、例えばインターネット上に、あらゆる電気機器の電源情報を集めたデータベース（例えば、ホームページとして）を構築しておき、そこにアクセスして、電気機器のメーカーや型番などから機種固有のＩＤを検索して取得し、その電力情報を設定できるようになっていると、手間もかからず正確な電力情報を得ることができるので、好ましい。
【００４６】
［直流電源装置の構成要素］
つぎに、図１に示した直流電源装置本体３０の構成要素について詳細を説明する。
電力変換器３１は、外部電力源４０から供給された電力を、一次変換するコンバータである。
電力生成回路３２は、一次変換された電力を、電気機器１０に供給すべき電圧範囲と最大電流の電力に二次変換するコンバータである。
監視回路３３は、電力生成回路３２が出力する電力を計測すると共に、計測した電力の情報をコントローラ３６に伝達する。
直流電源装置３０に設けられた読み取り回路３５は、接続ケーブル２０を介して伝達される電気機器１０に内蔵された電力情報制御回路１２に記憶された、直流電力の電圧、電流などの電気機器１０に供給すべき直流電力に関する情報を読み取るための電子回路である。
出力ＳＷ３４は、直流電源装置３０から接続ケーブル２０への直流電力の出力を制御するスイッチである。
【００４７】
図１に示した直流電源装置３０は、複数の電気機器１０が接続された場合にも対応できるように、複数系統の電力生成回路３２，監視回路３３，出力ＳＷ３４，読み取り回路３５を備えていてもよい。
【００４８】
このように、直流電源装置３０において、コントローラ３６は、まず電気機器１０に設けられた電力情報制御回路１２に記憶され、電気機器１０に供給すべき電力情報を、接続ケーブル２０の電力線を介して、電源装置本体３０の読み取り回路３５に伝達する。
【００４９】
このようにして、直流電源装置３０は、電気機器１０に供給すべき電力情報を取得する。さらに、コントローラ３６は、読み取った電力情報、すなわち電圧範囲や電流値などから、出力電力を制御するための電圧情報を演算処理し、その電圧情報はコントローラ３６に記憶されたデータテーブルから導き出される。
【００５０】
また、コントローラ３６は、直流電源装置３０が出力する電力を常に監視する機能、すなわち監視回路３３を備えていることが好ましく、出力電圧と出力電流を常に電気機器の必要とする電力情報と比較演算できるような制御プログラムを有することが好ましい。このように制御することで、電気機器１０に対して常に適正な電力供給が図れると共に、以下のようなトラブルに対処することができる。すなわち、電気機器における回路の短絡や開放、あるいは通信異常により電力情報が消失したときにも出力を制御することで、事故を未然に防ぐことができる。
さらに、電気機器の多様な動作モードに対しても、例えば電源オフ，サスペンド，スタンバイ，ブートアップ，通常稼働，省エネルギー稼働又はブート稼働などの動作モードの変化に対しても、それぞれの動作モードに最適な電力制御を行うことで、不要なエネルギーを省きながら電力供給が行える。
【００５１】
続いて、図１に示した直流電源装置の構成について、より具体的に説明する。なお図１では、一例として出力ポートが１ポート設けられている場合について記載しているが、出力ポートの数はこれに限られることはなく、利用する形態によって必要とする数のポートを設けることができる。
【００５２】
直流電源装置本体３０に設けられた電力変換器３１は、外部から供給される外部電源４０が太陽光発電装置や二次電池による直流電源である場合に、後述する次段の可変出力レギュレータである電力生成回路３２に入力される電圧を、一例として２４ＶＤＣ〜１００ＶＤＣの範囲の電圧になるように調整しうる一次レギュレータである。
【００５３】
また、電力変換器３１は、外部から供給される外部電源４０が商用電源１００ＶＡＣ〜２４０ＶＡＣ（５０／６０Ｈｚ）の場合に、交流を直流に変換すると共に、変換された直流の電圧を、一例として２４ＶＤＣ〜１００ＶＤＣの範囲の電圧になるように調整しうる一次レギュレータでもある。
【００５４】
直流電源装置本体３０では、外部から供給される外部電源４０が直流電源又は交流電源のいずれであっても機能するように電力変換器３１を備えており、この変換器を介して、前述の一次レギュレータによって所定の電圧に調整された直流電力が、次段の電力生成回路３２に接続されている。なお、一次レギュレータが生成する直流電圧の範囲は、電気機器に規定された電圧の範囲よりも高くてもよい。
【００５５】
電力生成回路３２は、一次レギュレータで生成された直流電力を、電気機器１０の電力情報に基づき、必要とされる電圧に変換して出力する可変出力レギュレータである。この電力生成回路３２は、コントローラ３６に接続されており、スイッチング制御や出力制御を受けて動作する。
【００５６】
また、電力生成回路３２の出力は、監視回路３３と、出力ＳＷ３４を経由して、各出力ポートに接続されている。この出力ポートには、接続ケーブル２０のコネクタ部が接続される。
【００５７】
監視回路３３は、電力生成回路３２が生成した電圧値と電流値を計測すると共に、コントローラ３６に接続されており、計測した電圧値と電流値の情報を伝達する。コントローラ３６は、伝達された電圧値と電流値を演算処理する機能を有している。
【００５８】
出力ＳＷ３４は、接続ケーブル２０を介して電気機器１０に直流電力を供給するか否かの制御を行う回路である。この出力ＳＷ３４は、コントローラ３６に接続されており、コントローラ３６の判断した、直流電力を供給するか否かのオン／オフ制御信号が、デジタル信号又はアナログ信号にて伝達される。
【００５９】
読み取り回路３５は、接続ケーブル２０を介して電気機器１０に内蔵された電力情報制御回路１２に記憶された電力情報を読み取り取得する機能を有する。取得した電力情報は、接続されたコントローラ３６にシリアルデータとして出力される。この読み取り回路３５は、電気的な接続端子を介した直接的な電気結合回路による通信にて接続される。電力情報制御回路１２から読み取る電力情報とは、電気機器１０の有する機種固有ＩＤや、定格電圧範囲，最大電流，待機電流，タイムスタンプなどである。
【００６０】
コントローラ３６は、読み取り回路３５より伝達された電気機器１０の有する機種固有ＩＤと、取得した読み取り回路の設定ポート番号を紐付けする機能を有するとよい。
【００６１】
また、コントローラ３６は、読み取り回路３５より伝達された電気機器１０の有する定格電圧を、内蔵のフラッシュメモリに記憶された、電圧とＤＣ−ＤＣコンバータ制御データの相関データに照らし合わせて、電力生成回路３２に負荷機器１０が必要とする電圧と一致するようなデジタル信号又はアナログ信号を生成して伝達する。
【００６２】
さらに、コントローラ３６は、読み取り回路３５より伝達された電気機器１０の有する定格電流と待機電流とをレジスタに記憶しておき、電流・電圧計より伝達された電流情報と比較する演算を行う。また、コントローラ３６は、読み取り回路３５より伝達された電気機器１０の有するタイムスタンプを基に、内部レジスタ上で取得開始からクロックカウントを積算し記録していく。これは、負荷機器の接続経過時間を表すと共に、接続ケーブル２０の接続が一時的に切断されるような事態が起こった場合を検知する機能となる。
【００６３】
加えて、コントローラ３６は、電力情報制御回路１２に記憶された電力情報を取得した後、接続された電力情報制御回路１２に対し、スイッチング制御と出力制御信号を伝達すると共に、これらコンバータ回路が生成した電圧や電流を検定し、所定の条件を満たしていれば、出力ＳＷ３５へ、出力のオン／オフ制御信号を伝達する。
【００６４】
コントローラ３６には、電気機器１０の必要とする電力情報と電力生成回路３２の制御データの相関を表すデータテーブルが記憶されているとよい。
【００６５】
図１に示した直流給電装置では、電気機器を１台接続された場合を例に記載しているが、電源装置の給電ポートを複数設けることで、電気機器を複数制御できてもよい。
【００６６】
さらに、接続された複数の電気機器それぞれが必要とする電力が異なる場合であっても対応できるように、電源装置３０の給電ポート毎に直流給電回路を設けるなど、電源装置３０内に複数の直流給電回路を設ければよい。
【００６７】
さらに、複数設定された直流給電回路は完全に独立した回路構成ではなく、各回路が電流を融通しあえるように構成することで、トータルの消費電力を低減したり電力効率向上に寄与できる。
【００６８】
具体的には、接続ケーブルによって接続された複数の電気機器の所要電力範囲が重なっている場合、例えば、所要電力が１２〜１５Ｖの電圧範囲で動作し、最大動作電流３Ａの電気機器（Ａ）に対して、１２Ｖ，５Ａの電力供給能力のある直流給電回路によって電力が供給されている状態で、新たに接続される電気機器（Ｂ）が例えば、９〜１２Ｖの電圧で動作し、最大１Ａの電流が流れる電気機器であった場合、そのために２台目の直流給電回路を動作させる必要はなく、先に電力を供給している１台目の直流給電回路の一部の電力を新たに接続された電気機器に充てることができる。こうすることにより、接続されて２台の電気機器に対して、２台の直流給電回路を個別に動作させる場合に比べて、電力効率を改善でき、省エネルギーに寄与できる。
【００６９】
［電気機器に内蔵された電力情報制御回路の構成要素］
図２は、電力情報制御回路における通信を行う手段について、その構成を示す図である。
電気機器１０が要求する電力を、電源装置３０に内蔵された出力ＳＷ３４から電気機器１０を駆動されるための電源回路１１に電力を供給するにあたり、それらを接続した＋電力線上に電力など低周波数な（直流）信号を通過させるためのチョークコイル３８及びチョークコイル１４が直列に配置されている。
【００７０】
また、接続ケーブル２０を介したプラス電力線には、電気機器１０の必要とする電力情報を高周波信号にて通信するための結合コンデンサ３７を介して接続された読み取り回路３５と、結合コンデンサ１３を介して接続された電力情報制御回路１２とが接続される。
【００７１】
すなわち、電力供給と通信を同一のプラス電力線を介して行うには、電源装置３０から供給する直流電力に高周波である信号、例えば１３．５６ＭＨｚなどの周波数を重畳することとなる。
【００７２】
重畳された高周波信号は、チョークコイル３８，１４を通過できないが、結合コンデンサ３７，１３は通過できるため、それぞれに接続された読み取り回路３５と電力情報制御回路１２間で通信は可能となる。
さらに高周波信号は、ごく近距離であれば非接触でも通信が可能であるため、接続ケーブル２０の電気機器側プラグを、電気機器の電源コネクタに近付けただけで通信が可能となる。いわゆる近接通信により、電源プラグを差し込む前に電気機器の電源情報を読み取ったり、故障診断を行うことも可能となる。
【００７３】
読み取り回路３５及び電力情報制御回路１２とは、それぞれ双方向にて通信が可能な様に送信回路Ｔｘ(Transmitter)、受信回路Ｒｘ(Receiver)が内蔵されており、電気機器１０が必要とする電力情報や、電源装置３０の故障や動作異常を接続ケーブル２０を介してお互いに通信することができる。
【００７４】
電源装置３０及び電気機器１０から供給される通信信号及び直流電力については、結合コンデンサ３４及び結合コンデンサ１３が直流電圧のような低周波数の信号を通さない性質であることを利用し、低周波数のみ通過させて高周波数の信号を通さないチョークコイル３８及びチョークコイル１４を介して電気機器１０を駆動するための電源回路１１へと供給されることにより、重畳した通信信号及び供給電力が互いに干渉しないように、チョークコイルとコンデンサが最適に設定されている。
【００７５】
なお、通信に使用するシリアルデータは、外来ノイズなどの影響によりデータ欠損が生じたり、電源装置３０側と電気機器１０側のお互いが発した信号かどうかを区別するために、誤り訂正符号や受け取ったデータのエコーバック機能を付加することで、通信の確定性や安定性を向上させることが好ましい。
【００７６】
通信を司る電力情報制御回路１２は、電源装置３０側からの電力供給が行われる以前、すなわち接続ケーブル２０を繋いだ直後において、電源装置３０の読み取り回路３５から定期的にエコー信号を発するようにすれば、一般的なＩＤタグのようにエコー信号を用いて電力情報制御回路１２が立ち上がり、電気機器１０に必要な電力情報などをエコーバックして通信を確立させることで、電源装置との接続が正常になされたか否かを判断することができる。
【００７７】
さらに電力情報制御回路１２は、電気機器１０より電気機器の稼働状態を表すステータス情報を常に取得できるようにしておけば、例えば、通常の稼働状態のほかに、サスペンド状態、スタンバイ状態、ブートアップ状態、省エネルギー稼働状態やブート稼働状態、さらには電気機器の故障などの電気機器が各稼働状態において必要とするその時々の電力を、電源装置３０に送信し、供給される直流電力を電気機器の状態に合わせ、その時々に最適制御を指示することも可能となる。
【００７８】
［変換プラグを用いた場合の構成要素］
図３は、電気機器が電力情報制御回路を有しない場合に変換プラグを用いた構成を示す図である。
電気機器１０が要求する電力情報を通信するための電力情報制御回路１２を電気機器が有しない場合において、通信機能を内蔵した変換プラグ５０を接続ケーブル２０と電気機器１０の間に接続することで、電気機器１０が必要とする電力情報を接続ケーブル２０を介して電装値３０へと伝達することができる。
【００７９】
構成としては、結合プラグ又はジョイントの形状をした変換プラグ５０に、電力情報を記憶し、その情報を電源装置３０と双方向にて通信するための電力情報制御回路１２と、高周波信号を通すための結合コンデンサ１３と、直流電力のみを通すチョークコイル１４と、電力線とその接続端子及び接地（ＧＮＤ）線とその接続端子を内蔵している。
【００８０】
この変換プラグ５０は、接続ケーブル２０及び電気機器１０を電気的に接続できるプラグを両端子に有しており、適時着脱が可能である。
【００８１】
また、変換プラグ５０の端子は、それぞれ接続する対象である接続ケーブル２０と電気機器１０が決められているので、接続ケーブル２０側コネクタをメス（ソケット）形状とし、電気機器１０側をオス（プラグ）形状とすることで、誤挿入防止とする工夫がなされている。
【００８２】
また、使用者が挿入する向きを見誤らないように、変換プラグ５０外装部に電力が流れる方向を示す矢印の刻印又はマークを入れることで、電気機器接続時の運用性が向上する。
【００８３】
［複数の電気機器を接続した場合の最大効率点動作を構成する要素］
図４は、複数電気機器を接続し直流給電した際に、各出力回路が高効率で稼働する制御動作を示す構成図である。
電源装置３０の構成としては、図１で示した構成に加え一例として２系統の電気機器が接続できる構成として説明する。
【００８４】
各出力回路の電力生成回路３２ａ，３２ｂは、それぞれＲＬＹ（リレー）３９にて出力が短絡できる構成となっている。
このＲＬＹ３９は、開閉スイッチの役割をしており、コントローラ３６からの制御信号により、任意の電力生成回路の出力を短絡させることができる。
【００８５】
例として、３系統の出力回路にそれぞれ電気機器１０ａ，電気機器１０ｂが接続され、電気機器１０ａの要求する電力は５ＶＤＣ／１Ａ、電気機器１０ｂの要求する電力は５ＶＤＣ／７Ａとした場合、電力生成回路３２ａ，３２ｂの各電流給電能力が、最大７Ａで最高効率電流が４Ａとした場合について説明する。
【００８６】
コントローラ３６は、各出力回路の読み取り回路３５ａ，３５ｂから伝達された電力情報に基づき電力生成回路３２ａ，３２ｂに制御信号を伝達し、各電気機器１０ａ，１０ｂに適正な電力を供給すると同時に、同一電圧を要求する電気機器１０ａと１０ｂを検出し、その消費電流量を監視回路３３ａ，３３ｂにて取得する。
【００８７】
電気機器１０ａの消費電流が１Ａに対し、電気機器１０ｂが７Ａとなることから、コントローラ３６は出力回路の電力効率を高めるため、ＲＬＹ３９を制御する信号を出力し、電力生成回路３２ａと３２ｂの出力を短絡する。
【００８８】
つぎに、コントローラ３６は、電力生成回路３２ａ，３２ｂそれぞれに対して最高効率電流となる制御情報を出力することで、制御電力生成回路３２ａの負荷電流は１Ａから４Ａと増加し、電力生成回路３２ｂの負荷電流は７Ａから４Ａに低減し、それぞれの負荷電流は最高効率が得られる４Ａ負荷で稼働することとなり、電源装置３０のトータル電力効率が向上する。
【００８９】
その状態において、電気機器１０ａ又は１０ｂの動作状態が変化し、その需要電力が減少又は増加した場合、コントローラ３６は、各電気機器からのステータス情報及び監視回路３３ａ，３３ｂの情報を演算し、各電力生成回路が最高効率を得られる電流量又はそれに近い電流量となる組み合わせを判断し、電力生成回路３２ａ，３２ｂの制御信号を調整すると共に、場合によってはＲＬＹ３９を開放させ、電力生成回路３２ａ，３２ｂを単一負荷動作とすることで、電源装置３０のトータル電力効率が高いレベルに維持させる制御を行う。
【００９０】
［直流給電動作のフローチャート］
つぎに、図１に示した直流電源装置において、その直流給電動作のフローチャートについて説明する。
図５Ａから図５Ｄは、接続手順及び動作手順を示したフローチャートである。ここでは、電気機器が１台接続された場合を例として説明する。
【００９１】
まず、図５Ａに示した第１フローチャートにしたがって、操作を開始する。
電源装置３０に外部電力源４０が接続されると（ステップＳ１０１）、電源装置３０に内蔵された読み取り回路３５から、通信を確立するための応答を求めるハンドシェイク信号が、一定間隔で出力ポートから送出される。
この状態は、負荷となる電気機器１０の接続がなされるまでの間繰り返され、電源装置３０の動作モードとして待機状態を意味する。
【００９２】
ついで、接続ケーブル２０が電源装置３０の出力ポートと負荷となる電気機器１０の入力ポートに接続されると（ステップＳ１０２  肯定）、電源装置３０の出力ポートから発せられるハンドシェイク信号が、接続ケーブル２０を経由して電気機器１０へと送出される。
【００９３】
この時点で、接続ケーブル２０が電源装置３０又は電気機器１０のいずれにも接続されていない（ステップＳ１０２  否定）状態であった場合、電源装置３０とその内蔵回路は待機状態を継続する。図中の［ＥＮＤ］は、電源装置３０の待機状態又は待機状態への移行を意味している（以下、同様）。
【００９４】
ハンドシェイク信号が電力情報制御回路１２にて受信され、その応答が同じ経路を介して読み取り回路３５へと送出され（ステップＳ１０３  肯定）、電源装置３０に内蔵されたコンントローラー３６が通信確立と判断する（図示せず）。
【００９５】
この時点で、読み取り回路３５がハンドシェイク信号に対する応答信号が確認できない、又は電力情報制御回路１２がハンドシェイク信号を受信できなければ（ステップＳ１０３  否定）、電源装置３０は待機状態を継続する。
【００９６】
つぎに、読み取り回路３５から電力情報制御回路１２に対して［電力情報］を送出するように、リクエスト信号を送出する（ステップＳ１０４）。
［電力情報］とは、電気機器１０の通常動作モードを表す［定格電圧情報］と［定格電流情報］、機器のスタンバイ状態や休止状態を表す［スタンバイ電流情報］などの電気機器１０の動作状態を示す情報である。
スタンバイとは、コンピュータ機器などにおいて作業を一次的に中断する際に、作業状態をＲＡＭなどに保存して電力の消費を抑える動作であり、電力としてはデータ保持のためにＲＡＭへの電力供給などに使われる。
休止とは、作業状態を電力供給無しに保持できるハードディスクなどに記憶する方式であり、最小限度の電力供給となる動作である。
【００９７】
電力情報制御回路１２は、読み取り回路３５から送出されたリクエスト信号に対して応答信号を返送する（ステップＳ１０５  肯定）と共に、電気機器１０が必要とする［電力情報］を読み取り回路に送出する（ステップＳ１０６）。ついで、読み取り回路３５は受信した［電力情報］をコントローラ３６へと伝達する（ステップＳ１０７）。
【００９８】
この時点で、読み取り回路３５がリクエスト信号に対する応答信号が確認できない、又は電力情報制御回路１２がリクエスト信号を受信できなければ（ステップＳ１０５  否定）、電源装置３０は待機状態に移行する。
【００９９】
図５Ｂに示したフローチャートに移り、コントローラ３６は受信した［電力情報］のシリアルデータ・フォーマットを検定し、正常であれば（ステップＳ１０８  肯定）取得した［電力情報］に含まれる［定格電圧情報］を内部レジスタに格納する（ステップＳ１０９）。
【０１００】
このとき、取得した［電力情報］のシリアルデータ・フォーマットに異常があれば（ステップＳ１０８  否定）、図５Ｄに示したフローチャートの出力ＳＷ３４にオープン信号すなわち出力オフ信号を送り（ステップＳ１４０）、［エラー処理１］（ステップＳ１４１）を実行し、待機状態へと移行する。
［エラー処理１］は、電源装置３０の表示器に［電気機器接続解除］、［通信異常］、［接続ケーブル異常］等を示したり、ビープ音やメロディでその異常を使用者に伝えてもよい。
【０１０１】
つぎに、レジスタに格納した［定格電圧情報］を検定し、電源装置３０に予め想定し記憶させていた電圧範囲以内であることを確認する（ステップＳ１１０  肯定）。
【０１０２】
このとき、取得した［定格電圧情報］が規定の範囲以内でなかった場合（ステップＳ１１０  否定）、図５Ｄに示したフローチャートの［エラー処理１］（ステップＳ１４０）を実行し、出力ＳＷ３４にオープン信号すなわち出力オフ信号を送り、待機状態へと移行する。
【０１０３】
ついで、受信した［電力情報］に含まれる［定格電流情報］及び［スタンバイ電流情報］を内部レジスタに格納する（ステップＳ１１１）。レジスタに格納した［定格電流情報］を検定し、電源装置３０に予め想定し記憶させていた電流範囲以内であることを確認し（ステップＳ１１２  肯定）、通信を確立した読み取り回路３５とセットになっている電力生成回路チャンネルのＮＯ．を記憶しておく（ステップＳ１１３）。
【０１０４】
取得した［定格電流情報］が規定の範囲以内でなかった場合（ステップＳ１１２  否定）、図５Ｄに示した出力ＳＷ３４にオープン信号すなわち出力オフ信号を送り（ステップＳ１４０）、フローチャートの［エラー処理１］（ステップＳ１４１）を実行し、待機状態へと移行する。
【０１０５】
図５Ｃに示したフローチャートに移り、通信によりレジスタに取得した［定格電圧情報］に基づき、電力生成回路３２を制御して電圧を発生させる（ステップＳ１１４）。発生した電圧を監視回路３３で計測し、コントローラ３６へと伝達する（ステップＳ１１５）。
【０１０６】
ついで、伝達された電圧とレジスタに格納された［定格電圧情報］を比較し（ステップＳ１１６）、その誤差が所定の範囲内であることが確認できれば（ステップＳ１１７  肯定）、出力ＳＷ３４に信号を送り内部接点をオープンからショートに切り替えて、電圧を接続ケーブルへと出力する（ステップＳ１１８）。
【０１０７】
このとき、電力生成回路３２が出力した電圧がレジスタに格納した［定格電圧情報］に対して、所定の誤差以内でなかった場合（ステップＳ１１７  否定）は［エラー処理２］（ステップＳ１２６）を実行し、待機状態へと移行する。
［エラー処理２］は、電源装置３０の表示器に［電気機器接続解除］、［電源異常］、［電気機器異常］等を示したり、ビープ音やメロディでその異常を使用者に伝えてもよい。
【０１０８】
つぎに、電流を監視回路３３で計測し、コントローラ３６へと伝達する（ステップＳ１１９）。
【０１０９】
ついで、伝達された電流とレジスタに格納された［定格電流情報］を比較し（ステップＳ１２０）、その誤差が所定の範囲内であることを確認する（ステップＳ１２１  肯定）。
【０１１０】
このとき、出力した電流がレジスタに格納した［定格電流情報］に対して、所定の誤差以内でなかった場合（ステップＳ１２１  否定）は［エラー処理２］（ステップＳ１２６）を実行し、図５Ｄに示したフローチャートの出力ＳＷ３４にオープン信号すなわち出力オフ信号を送り（ステップＳ１４０）、［エラー処理１］（ステップＳ１４１）を実行し、待機状態へと移行する。
【０１１１】
つぎに、出力電圧を監視回路３３にて計測し、コントローラ３６に伝達する（ステップＳ１２２）。
【０１１２】
伝達された電圧とレジスタに格納された［定格電圧情報］を比較し（ステップＳ１２３）、その誤差が所定の範囲内であることを確認する（ステップＳ１２４  肯定）。
【０１１３】
このとき、電力生成回路３２が出力した電圧がレジスタに格納した［定格電圧情報］に対して、所定の誤差以内でなかった場合は（ステップＳ１２４  否定）、コントローラ３６が電力生成回路３２に電圧補正を実施し（ステップＳ１２５）、図５Ｃに示すフローチャートのステップ１１９に戻る。
【０１１４】
図５Ｄに示したフローチャートに移り、出力電流を監視回路３３にて計測し、コントローラ３６へ伝達する（ステップＳ１３３）。
【０１１５】
ついで、伝達された電流とレジスタに格納された［スタンバイ電流情報］を比較し、その誤差が所定の範囲内であることを確認する（ステップＳ１３４  肯定）。ついで、図５Ｃに示したフローチャートへ移り、読み取り回路３５から電力情報制御回路１２に対して、［電力情報］の送信をリクエストする（ステップＳ１２８）。
【０１１６】
電気機器１０の電力情報制御回路１２から通信応答があれば（ステップＳ１２９  肯定）、送信された［電力情報］を読み取り回路３５が受信する（ステップＳ１３０）。
【０１１７】
このとき、電力情報制御回路１２から通信応答がなければ（ステップＳ１２９  否定）、図５Ｄに示すフローチャートの出力ＳＷ３４に、オープン信号すなわち出力オフ信号を送り（ステップＳ１４０）、［エラー処理１］（ステップＳ１４１）を実行し、待機状態へと移行する。
【０１１８】
つぎに、読み取り回路３５からコントローラ３６へ［電力情報］が伝達される（ステップＳ１３１）。
【０１１９】
ついで、コントローラ３６は取得した［電力情報］に含まれる［定格電流情報］及び［スタンバイ電流情報］を内部レジスタに格納し（ステップＳ１３２）、図５Ｃに示すフローチャートのステップＳ１１９に戻る。
【０１２０】
ステップＳ１３４に戻り、監視回路３３が計測し、コントローラ３６に伝達された電流とレジスタに格納された［スタンバイ（ＳＢ）電流情報］を比較し、その誤差が所定の範囲内でなかった場合（ステップＳ１３４  否定）、読み取り回路３５から電力情報制御回路１２に対して、電気機器１０の［ステータス情報］をリクエスト送信する（ステップＳ１３５）
【０１２１】
電力情報制御回路１２が読み取り回路３５から送出されたリクエスト信号に対して応答信号を返送すると（ステップＳ１３６  肯定）、［ステータス情報］を読み取り回路３５が読み取り（ステップＳ１３７）、コントローラ３６へ伝達する（ステップＳ１３８）。
【０１２２】
ついで、コントローラ３６は、電気機器１０の状態を表す［ステータス情報］から電気機器１０の状態がスタンバイ状態又は休止状態であるのか確認し、そうであるなら（ステップＳ１３９  肯定）ステップＳ１３３に戻る。
【０１２３】
［ステータス情報］から、電気機器１０がスタンバイ状態又は休止状態でないことが確認されれば（ステップＳ１３９  否定）、出力ＳＷ３４にオープン信号すなわち出力オフ信号を送り（ステップＳ１４０）、［エラー処理１］（ステップＳ１４１）を実行し、待機状態へと移行する。
【０１２４】
ここで、電源装置と電気機器とを接続する接続ケーブルは、電源装置と電力情報制御回路との通信は、当該接続ケーブルの電力線を使用して行われるように構成されていることが好ましい。
具体的には、接続ケーブルが以下のような構成を備えているとよい。すなわち、空中の様々なノイズ源より飛来する静電誘導ノイズ（静電ノイズ）に対して、ケーブル全体を網状のシールド線で防護し、流れる電流の変化により生ずる電磁誘導ノイズ（誘導ノイズ）に対しては、電力線を２本撚り合わせたツイストペア線とすることで通信信号の品質を高めるとよい。
さらに、電力線に流れる直流電圧と重畳した通信用交流信号を、それぞれ直流電力と通信信号に分離するためのコイル（Ｌ）及びコンデンサ（Ｃ）が組み込まれた構造とすれば、電源装置と電気機器側のインターフェイス回路を小型化することができる。
【０１２５】
また、本発明に用いる接続ケーブルは、接続される電気機器に対して専用のものを準備する必要はなく、共通化を図ることができる。しかし、所望される電圧及び電流の範囲と電気機器の分類から、複数の共通化された接続ケーブルとして標準化するとよい。例えば、電力の大小により、小電力用、中電力用、大電力用など３種類程度の、標準化された接続ケーブルとするとよい。具体的には、供給電力（電流）に合わせた導体の線心径及び絶縁体材料、厚みをＪＣＳ（日本電線工業会）などの規格に準拠したケーブルとして、小電力用、中電力用、大電力用などに区分し、標準化する。
【０１２６】
電源装置と電力情報制御回路との通信は、接続ケーブルの電力線及び／又はシールド線を用いて行われるとよい。
【０１２７】
電力情報制御回路には、内部に格納される電力情報を、前記電気機器に組み込む際に予め記憶させていてもよいし、インターネットやネットワーク上に設置されたサーバのデータベースから、電力情報を各種通信手段にて取得し、書き換え可能としてもよい。このときの通信手段としては、例えば、Ｅｔｈｅｒｎｅｔ（登録商標），Ｂｌｕｅｔｏｏｔｈ（登録商標），Ｗｉ−Ｆｉ、ＲＦ−ＩＤなどが挙げられる。
【産業上の利用可能性】
【０１２８】
前述したように、本発明による通信・制御回路を内蔵した電気機器と電源装置及び接続ケーブルは、その駆動に必要な直流電力の異なる複数の電気機器を接続しても、電気機器に適した電圧と電流を持つ直流電力を間違えることなく供給でき、電気機器のステータス情報に基づく電力制御が可能であり、産業上、その利用が可能である。さらに、接続ケーブルと電源装置は共通化できるので有用である。
【符号の説明】
【０１２９】
１０，１０ａ，１０ｂ：電気機器
１１，１１ａ，１１ｂ：電源回路
１２，１２ａ，１２ｂ：電力情報制御回路
１３：結合コンデンサ
１４：チョークコイル
２０，２０ａ，２０ｂ：接続ケーブル
３０：電源装置本体
３１：電力変換器
３２，３２ａ，３２ｂ：電力生成回路
３３，３３ａ，３３ｂ：監視回路
３４，３４ａ，３４ｂ：出力ＳＷ
３５，３５ａ，３５ｂ：読み取り回路
３６：コントローラ
３７：結合コンデンサ
３８：チョークコイル
３９：リレー（ＲＬＹ）
４０：外部電源
【図１】
2015053819.tif 000003
【図２】
2015053819.tif 000004
【図３】
2015053819.tif 000005
【図４】
2015053819.tif 000006
【図５Ａ】
2015053819.tif 000007
【図５Ｂ】
2015053819.tif 000008
【図５Ｃ】
2015053819.tif 000009
【図５Ｄ】
2015053819.tif 000010